(57)【要約】【課題】一次成形されたプリフォームを、簡単な機構で、安定性よく変形を生じさせるおそれなく保持でき、装置のコンパクト化や軽量化に寄与できるプリフォームの保持装置を提供する。【解決手段】筒状ケース（２）と、縦割形成された複数の分割爪片（３ａ）（３ｂ）が拡開可能に組み合され、先端側部分が突出状をなすように筒状ケース（２）に嵌挿保持された保持部材（３）と、各割形爪片（３ａ）（３ｂ）を拡開動作させる手段（４）とから構成し、保持部材（３）の突出部分（３０）を前記プリフォーム（Ｐ）の口部（Ｐ１）に対し挿入した状態での拡開作用により、各分割爪片（３ａ）（３ｂ）をプリフォームの口部内周に当接させて、プリフォームを内側から保持するようにする。【選択図】        図３
2005161576.tif 000002
【特許請求の範囲】
【請求項１】
支持基板に対し取付固定された筒状ケースと、
縦割形成された複数の分割爪片よりなり、各分割爪片が拡開可能に組み合された状態で、先端側部分が突出状をなすように前記筒状ケースに嵌挿されて抜脱不能に係合保持された保持部材と、
前記保持部材の各割形爪片を拡開動作させる手段とからなり、
前記保持部材は、筒状ケースからの突出部分が前記プリフォームの口部に対し挿入可能であり、かつ該挿入状態での拡開作用により各分割爪片がプリフォームの口部内周に当接して該プリフォームを保持するように設けられてなることを特徴とするプリフォームの保持装置。
【請求項２】
前記保持部材は、前記筒状ケースからの突出部分の先端部が先細のテーパ状をなすとともに、該突出部分の基部側における前記各分割爪片の外面が拡開作用時にプリフォームの口部内周面に対し当接する当接面部として形成され、該当接面部の外径が前記プリフォームの口部内径より僅かに径大になる位置まで拡開可能である請求項１に記載のプリフォームの保持装置。
【請求項３】
前記筒状ケースの先端部内周に内フランジ状の係止部が設けられ、前記保持部材の各分割爪片の外面に前記係止部に係合する係合凸部が設けられており、前記保持部材は、前記係合凸部と係止部との係合により抜脱不能に保持され、かつ前記係止部を支点にして拡開可能に設けられてなる請求項１または２に記載のプリフォームの保持装置。
【請求項４】
前記保持部材の各分割爪片は、前記係合凸部より後端側部分における分割面がテーパ状に切欠されており、該切欠の範囲で前記後端側部分が縮径可能であり、該後端側部分の縮径により前記筒状ケースからの突出部分が拡開可能に設けられてなる請求項３に記載のプリフォームの保持装置。
【請求項５】
前記筒状ケース内には、前記保持部材の各分割爪片の係合凸部を係止部に向かって弾力的に押圧するバネ手段が設けられ、通常時は前記バネ手段により前記各分割爪片が閉じた状態に保持されるとともに、前記保持部材を拡開動作させる手段が、前記バネ手段による弾性押圧力に抗して前記各分割爪片を拡開させるように設けられてなる請求項３または４に記載のプリフォームの保持装置。
【請求項６】
前記保持部材を拡開動作させる手段として、前記筒状ケース内において、適宜進退手段により前記保持部材の軸心方向に進出変位が可能に支持された押動作用部材であって、前記保持部材の後端外周に周接嵌合しかつ進出変位により前記各分割爪片の後端側部分を縮径させ得るテーパ孔を有する押動作用部材が設けられてなる請求項５に記載のプリフォームの保持装置。
【請求項７】
前記進退手段が、エアシリンダーにより前記押動作用部材を進退させるものよりなる請求項６に記載のプリフォームの保持装置。
【発明の詳細な説明】
【技術分野】
【０００１】
本発明は、プラスチック製ボトルの製造において、一次成形されたプリフォームの受け取り装置あるいは後工程への搬送のための移送に使用されるプリフォームの保持装置に関するものである。
【背景技術】
【０００２】
ポリエチレンテレフタレート（ＰＥＴ）等のポリエステル系樹脂製のボトル（所謂ＰＥＴボトル）は、中間体としてのプリフォームを一次成形した後、これをブロー成形法等により２軸延伸成形することにより得られる。このＰＥＴボトルの製造においては、図１４及び図１５に示すように、成形機１００で一次成形されたプリフォームＰは、取り出し装置１０２により成形機１００から取り出され、これを受け取り装置１１０に備える保持装置１１１により保持して受け取り、コンベア等の搬送装置１０４に移送し、搬送装置１０４により後続の工程、例えば口部を結晶化する工程や最終製品を得る二次成形工程に搬送する。
【０００３】
前記成形機１００によるプリフォームの成形は多数個取りが普通であり、取り出し装置１０２で取り出されるプリフォームＰは縦横に多数並列している。そのため、受け取り装置１１０は、前記の多数個のプリフォームＰを一斉に保持して受け取ることができるように前記保持装置１１１が設けられている。例えば、図のように、前記受け取り位置から前記搬送装置１０４への受け渡し位置までの間で移動が可能な移動台１１２を備えるとともに、該移動台１１２に備える支持基板１１３に、縦横に並列する多数の前記プリフォームを列毎に一斉に保持できるように前記保持装置１１１が配設されている。なお、図のようにプリフォームＰを横向きで受け取る方式の場合は、前記支持基板１１３の回転により該プリフォームＰを直立状態にして搬送装置１０４に受け渡す。
【０００４】
従来、前記の受け取り装置１１０等において、縦横に並列する多数のプリフォームＰを保持するための保持装置としては、プリフォームの口部外周をチャックし係合把持する方式（例えば、下記の特許文献１）あるいはプリフォームを吸引手段により保持する方式（例えば、下記の特許文献２）が採用されている。
【０００５】
チャック方式の場合、並列するプリフォームを縦横の一方の列毎にチャックするチャック装置を並設してなるものであるが、プリフォームを外側からチャックするためにチャック装置自体が大きくなり、該チャック装置を支持し作動させるシリンダー装置も必要になり、装置全体が重くなって動作速度も遅くなる。そればかり、プリフォームの口部を両側から強く挟んでチャックすると、完全に冷却し硬化していないプリフォームが変形するおそれもある。
【０００６】
そのため、最近は、図１４〜図１６のように、支持基板１１３の前面に各プリフォームの位置に合わせて吸引ノズル１１７を設ける一方、支持基板１１３の裏面に縦横１方向の前記吸引ノズル１１７の列毎に該吸引ノズル１１７に通じる連通室１１８を設け、該連通室１１８に吸引装置（図示せず）を接続しておいて、取り出し装置１０２により取り出されたプリフォームＰの口部Ｐ１に前記吸引ノズル１１７を挿入して吸引する方式が多くなっている。
【０００７】
しかし、この吸引方式の場合、吸引力が強くなりすぎると、完全には冷却し硬化していないプリフォームＰが、吸引力によって凹んだりする等の変形が生じるおそれがある。そうかと言って、吸引ノズルによる吸引力を弱くすると、プリフォームが不安定になって、移送中にプリフォームが脱落するおそれもある。またプリフォームを吸引保持できない場合もある。仮に、一つの吸引ノズルによりプリフォームを保持できなかったり、脱落したりすると、他の吸引ノズルによる吸引力も弱くなり、保持状態がさらに不安定になってしまう。
【特許文献１】特開２００２−３６１７２０号公報
【特許文献２】特開２００１−１０５４８０号公報
【発明の開示】
【発明が解決しようとする課題】
【０００８】
本発明は、上記に鑑みてなしたもので、プラスチック製ボトルの製造において、一次成形されたプリフォームを受け取り、次工程への搬送装置等に移送するための受け取り装置、あるいは搬送装置から別の搬送装置への移送装置において使用するプリフォームの保持装置として、簡単な機構でありながら、確実に安定性よくかつ変形を生じさせるおそれなくプリフォームを保持でき、装置設備のコンパクト化や軽量化に寄与でき、設置スペースを小さくできる保持装置を提供しようとするものであり、さらには、プリフォームを内側から保持する部材の擦れ部分を、プリフォーム内部に作らずに保持できる構造の保持装置を提供しようとするものである。
【課題を解決するための手段】
【０００９】
本発明は、上記の課題を解決するようになしたプリフォームの保持装置であり、支持基板に対し取付固定された筒状ケースと、縦割形成された複数の分割爪片よりなり、かつ各分割爪片が拡開可能に組み合された状態で、先端側部分が突出状をなすように前記筒状ケースに嵌挿されて抜脱不能に係合保持された保持部材と、前記保持部材の各割形爪片を拡開動作させる手段とからなり、前記保持部材は、筒状ケースからの突出部分が前記プリフォームの口部に対し挿入可能であり、かつ該挿入状態での拡開作用により各分割爪片がプリフォームの口部内周に当接して該プリフォームを保持するように設けられてなることを特徴とする。
【００１０】
このプリフォームの保持装置によれば、保持部材をプリフォームの口部に挿入した状態において、各分割爪片を拡開させることにより、該分割爪片がプリフォームの口部内周に強く当接して係合状態になり、これにより、前記プリフォームを内側から抜脱のおそれなく確実に安定性よく保持できる。しかも、前記保持部材の各分割爪片がプリフォームの口部内周に略均等な力で当接することになるため、完全に冷却し硬化していないプリフォームであっても、凹み等の変形が生じるおそれがない。
【００１１】
前記のプリフォーム保持装置において、前記保持部材は、前記筒状ケースからの突出部分の先端部が先細のテーパ状をなすとともに、該突出部分の基部側における前記各分割爪片の外面が拡開作用時にプリフォームの口部内周面に対し当接する当接面部として形成され、該当接面部の外径が前記プリフォームの口部内径より僅かに径大になる位置まで拡開可能であるものが好ましい。
【００１２】
これにより、前記保持部材をプリフォームの口部内周に容易に挿入できるとともに、該保持部材の各分割爪片の拡開作用により、その外面の当接面部を前記プリフォームの口部内周に強くかつ均等に当接させることができ、以てプリフォームを安定性よく保持することができ、移送中に横向きや下向きに回転することがあっても、抜脱のおそれはない。
【００１３】
前記のプリフォーム保持装置において、前記筒状ケースの先端部内周に内フランジ状の係止部が設けられ、前記保持部材の各分割爪片の外面に前記係止部に係合する係合凸部が設けられており、前記保持部材は、前記係合凸部と係止部との係合により抜脱不能に保持され、かつ前記係止部を支点にして拡開可能に設けられてなるものが好ましい。すなわち、このように構成されていることにより、縦割り形成された前記保持部材の各分割爪片は、分割面等の部分で擦れを生じることなく拡開作用できることになる。
【００１４】
前記保持部材の各分割爪片は、前記係合凸部より後端側部分における分割面がテーパ状に切欠されており、該切欠の範囲で前記後端側部分が縮径可能であり、該後端側部分の縮径により前記筒状ケースからの突出部分が拡開可能に設けられてなるものとするのがよい。これにより、前記保持部材の各分割爪片は、その後端側部分を外方より押圧して縮径させることにより、筒状ケースより突出している先端側部分を確実に拡開できて、前記のように、プリフォームの口部内周に確実に内接させることができる。
【００１５】
また、前記筒状ケース内には、前記保持部材の各分割爪片の係合凸部を係止部に向かって弾力的に押圧するバネ手段が設けられ、通常時は前記バネ手段により前記各分割爪片が閉じた状態に保持されるとともに、前記保持部材を拡開動作させる手段が、前記バネ手段による弾性押圧力に抗して前記各分割爪片を拡開させるように設けられてなるものがよい。これにより、前記拡開動作手段による作用時に前記保持部材の各分割爪片を拡開させることができるとともに、前記拡開動作手段による作用時以外は、前記保持部材の各分割爪片を閉じた状態に保持でき、プリフォームに対して難なく抜き挿しすることができる。
【００１６】
さらに、前記保持部材を拡開動作させる手段としては、前記筒状ケース内において、適宜進退手段により前記保持部材の軸心方向に進出変位が可能に支持された押動作用部材であって、前記保持部材の後端外周に周接嵌合しかつ進出変位により前記各分割爪片の後端側部分を縮径させ得るテーパ孔を有する押動作用部材が設けられてなるものとする。これにより、進退手段による前記押動作用部材の僅かな進出変位により前記各分割爪片を確実に拡開作用させることができ、以て、前記進退手段として、大きなストロークは必要でなく、小型のエアシリンダーや電磁ソレノイド等を利用することが容易に可能になる。
【００１７】
すなわち、前記進退手段がエアシリンダーにより前記押動作用部材を進退させるものよりなる場合、従来の外側からチャックする方式チャック装置を作動させるシリンダー装置等に比して小型のものでよく、保持部材がプリフォームの口部に挿入できる程度の小部品であることとも相俟って、保持装置をコンパクトに構成できる。
【発明の効果】
【００１８】
本発明のプリフォーム保持装置よれば、従来の外側からのチャック方式や吸引方式と違い、プリフォームの口部に挿入できる保持部材の拡開作用によりプリフォームを内側から保持するようにしたので、プリフォームを確実にかつ抜脱のおそれなく安定性よく保持でき、しかも完全に冷却し硬化していないプリフォームであっても変形を生じさせることなく保持できる。
【００１９】
特に、保持部材の各分割爪片を、その外面の係合凸部と筒状ケースの先端部内周の係止部との係合部分を支点にして拡開可能に設けたことにより、プリフォーム内に挿入される前記保持部材の各分割爪片の接触部分には拡開作用のための擦れ部分が生じないことになり、外観的に体裁がよく、使用者に擦れによる微粉侵入等の懸念を生じさせるおそれもない。
【００２０】
さらに、本発明のプリフォームの保持装置によれば、保持部材及び拡開動作させる手段を含めた装置全体をコンパクトに構成できることになり、装置の簡略化、軽量化に寄与できる。
【００２１】
例えば、成形機の取り出し装置からの受け取り装置での使用において、成形機から取り出されるプリフォームの縦横の並列状態に合わせて縦横に多数を並設して使用する場合においても、受け取り装置の構造を従来装置よりも簡略化でき、軽量化や小スペース化を図ることができる。
【発明を実施するための最良の形態】
【００２２】
次に本発明の実施の形態を図面に示す実施例に基づいて説明する。
【００２３】
図１は本発明にかかるプリフォームの保持装置の第１の実施例を示す断面図、図２は同装置の分割形保持部材の先端側からの正面図、図３は同装置によりプリフォームを保持した状態の断面図、図４は同上の拡開した保持部材の先端側からの正面図、図５は分割形保持部材の拡開状態を説明する一部の拡大略示断面図である。図６〜図９及び出す１０〜図１３は、それぞれ保持部材の分割形態を異にする第２の実施例および第３の実施例を示している。
【００２４】
この第１の実施例において、本発明に係る保持装置Ａは支持基板１に取設されており、基本的に後述するように、筒状ケース２と、拡開可能な分割形の保持部材３と、該保持部材３を拡開動作させる手段４を有してなる。
【００２５】
前記筒状ケース２は、前記支持基板１の片面にボルト等のねじ締結手段１１により固定されている。この筒状ケース２の先端部内周には、内フランジ状の係止部１３が設けられており、後述のようにして保持部材３を抜脱不能に係合できるようになっている。
【００２６】
前記分割形の保持部材３は、周方向で複数に縦割形成された複数の分割爪片よりなる。後述の第２の実施例や第３の実施例のように、３個、４個あるいはそれ以上の個数に縦割形成することもできるが、図１〜図４の第１の実施例では、２個の分割爪片３ａ，３ｂに縦割形成されており、各分割爪片３ａ，３ｂが拡開可能に組み合された状態で、先端側の部分が突出状をなすように前記筒状ケース２に嵌挿されて抜脱不能に係合保持されている。
【００２７】
前記の筒状ケース２による前記保持部材３の係合保持手段として、前記保持部材３の各分割爪片３ａ，３ｂの外面にそれぞれ係合凸部３３が設けられ、該係合凸部３３が前記筒状ケース２の先端内周部の係止部２３に係合することにより、前記各分割爪片３ａ，３ｂが抜脱不能に保持されている。またこの保持部材３の各分割爪片３ａ，３ｂは、前記係合凸部３３が係合する係止部２３を支点にして、前記筒状ケース２からの突出部分３０が先端側ほど拡開できるように設けられている。
【００２８】
前記の保持部材３の筒状ケース２からの突出部分３０は、一次成形されて取り出されたプリフォームＰの口部Ｐ１に対し挿入可能であり、かつこの挿入状態での前記の拡開作用により前記各分割爪片３ａ，３ｂがプリフォームＰの口部Ｐ１の内周面に対し外側に向かって押圧するように当接（内接）して、該プリフォームＰを保持するように設けられている。
【００２９】
そのため、前記保持部材３は、前記突出部分３０の先端部３１が先細のテーパ状をなすとともに、該突出部分３０の基部側における各分割爪片３ａ，３ｂによる外面が、拡開作用時にプリフォームＰの口部Ｐ１の内周面に対する当接面部３２として前記先端部より小さいテーパ状に形成され、特に最大拡開時には前記プリフォームＰの口部内径よりも僅かに径大になるように形成されている。
【００３０】
前記の保持部材３の前記当接面部３２は、前記プリフォームＰの口部Ｐ１に挿入された状態での拡開時に前記プリフォームＰの口部内周面に対して略平行状態になって、該当接面部３２の長さ方向の略全域が前記口部内周面に略均等に当接できるように、閉じた状態でのテーパ角度β等が設定されている。３４は前記当接面部３２と前記係合凸部３３との間の凹部であり、前記筒状ケース２の内フランジ状の係止部２３が該凹部３４に位置しており、前記拡開作用に伴う各分割爪片３ａ，３ｂの軸方向の僅かな変位を許容できるようになっている。
【００３１】
前記保持部材３の各分割爪片３ａ，３ｂは、筒状ケース２内の前記係合凸部３３より後端側部分３５における各分割面が図のようにテーパ状をなすように切欠されており、該切欠３６の範囲で前記後端側部分３５が縮径可能であり、該後端側部分３５の縮径により前記筒状ケース２からの突出部分３０が拡開可能に設けられている。そのため、前記切欠３６の開き角度αは、各分割爪片３ａ，３ｂの前記当接面部３２のテーパ角度βより僅かに大きくなるように設定されている。なお、前記後端側部分３５は、その外周面から後端面に渡ってアール曲面による丸みが付されている。
【００３２】
そして、前記筒状ケース２内には、その内周に沿って前記保持部材３の各分割爪片３ａ，３ｂの係合凸部３３と前記支持基板１との間に、前記係合凸部３３を前記係止部２３に向かって弾力的に押圧するコイルスプリング等のバネ手段４１が介設されている。
【００３３】
すなわち、前記バネ手段４１の押圧力により、前記係合凸部３３が図５の実線のように係止部２３に対接した状態に保持されることにより、通常時は、各分割爪片３ａ，３ｂの先端側が閉じた状態に保持されるとともに、後述の拡開動作させる手段４が各分割爪片３ａ，３ｂの後端側部分３５に作用することにより、前記バネ手段４１による押圧力に抗して、前記係合凸部３３が前記係止部２３に対し図５の鎖線のように変位して、各分割爪片３ａ，３ｂの先端側が拡開するように設けられている。
【００３４】
図のバネ手段４１と前記保持部材３の係合凸部３３との間には、合成樹脂製のカラー部材４２が介設され、前記バネ手段４１の弾性押圧力を各係合凸部３３に対して均等に与えることができるように構成されている。
【００３５】
前記保持部材３の各分割爪片３ａ，３ｂを拡開動作させる手段４としては、前記のように、各分割爪片３ａ，３ｂを前記バネ手段４１に抗して拡開動作させることができるものであれば、どのような構造のものであってもよいが、図示する実施例の場合は、前記筒状ケース２内において、適宜進退手段４５により前記保持部材３の軸心方向に進出変位が可能に支持された押動作用部材４３であって、前記保持部材３の後端外周に周接嵌合しかつ進出変位により前記各分割爪片２ａ，２ｂの後端側部分３５を縮径させ得るテーパ孔４４を有する押動作用部材４３が設けられている。
【００３６】
具体的には、前記支持基板１の他面側、つまり前記筒状ケース２の取付側とは反対側に進退手段４５が設けられるとともに、支持基板１に有する貫通孔１２を通して該進退手段４５の出力軸４５ａに前記押動作用部材４３の後端部が連結されて、押動作用部材４３が進退するように設けられている。
【００３７】
この押動作用部材４３は、通常、図１のように前記テーパ孔４４が前記保持部材３の後端外周に周接するか、あるいは僅かに隙間を有する状態に保持されており、プリフォームＰを保持する際に、前記進退手段４５の出力軸４５ａが進出して、前記テーパ孔４４により前記保持部材３の該端部を縮径方向に押圧することができるように設けられており、これにより各分割爪片３ａ，３ｂを拡開動作させ得るように構成されている。
【００３８】
前記進退手段４５としては、例えば電磁ソレノイドを利用したり、カム機構を利用して、前記押動作用部材を進退させるようにする等、押動作用部材を進退させ得る種々の進退手段を利用できるが、実施上は、図のように小型のエアシリンダーを用いるのが、コンパクトに構成でき、誤動作も少なく、特に好ましい。
【００３９】
図６〜図９は、前記保持部材３が周方向に略３等分した３個の分割爪片３ａ，３ｂよりなる場合の第２の実施例を示し、また、図１０〜図１３は、前記保持部材３が４個の分割爪片３ａ，３ｂ，３ｃ，３ｄよりなる場合の第３の実施例を示している。これらの実施例の場合も、保持部材３を除く他の構成態様については、上記した第１の実施例の場合と同様に構成されて拡開可能に保持されるものであり、同構成部材及び同構成部分については同符号を付してその詳しい説明を省略する。
【００４０】
すなわち、前記の３個の分割爪片３ａ，３ｂよりなる保持部材３、あるいは４個の分割爪片３ａ，３ｂ，３ｃ，３ｄよりなる保持部材３のいずれの場合も、図示するように、筒状ケース２からの突出部３０、先端部３１、当接面部３２、係合凸部３３、凹部３４、後端側部分３５、切欠３６や筒状ケース２に対する係合保持の構造、拡開可能にするための形態及びそのための手段、これを拡開動作させるための手段や組み合わせ形態など、上記した第１の実施例で説明したと同様に構成して実施できる。
【００４１】
なお、前記保持部材３の分割爪片を５個以上にして実施することも可能であるが、部品数や組立ての容易性およびプリフォームの保持状態の安定性等の点から、３個もしく４個が特に好ましい。
【００４２】
上記した各実施例の保持装置Ａは、いずれにしても、プリフォームＰの製造における移送作業において必要な個数を、前記支持基板１に取り付けて使用する。例えば、成形機の取り出し装置からの受け取り装置に使用する場合、成形機での成形の配列形態、つまりは取り出し装置の配列に応じて、必要な数の保持装置Ａを縦横に並列配置しておき、該取り出し装置からのプリフォームＰの受け取りの際、前記保持装置Ａの筒状ケース２から突出している保持部材３の突出部分３０を、取り出し装置による取り出し位置のプリフォームＰに対向させるように位置させ、前記プリフォームＰの開口端が筒状ケース２の先端面と対接もしくは近接する位置まで挿入する。
【００４３】
この状態において、拡開動作させるための手段４における進退手段４５を作動させて、その出力軸４５ａに支持されている押動作用部材４３を進出変位させる。この押動作用部材４３の進出変位により、前記保持部材３の後端側部分３５を、その後端外周に周接しているテーパ孔４４によりバネ手段４１に抗して押圧し縮径させる。これにより、前記保持部材３の各分割爪片３ａ，３ｂまたは３ａ，３ｂ，３ｃまたは３ａ，３ｂ，３ｃ，３ｄが、外面の係合凸部３３が筒状ケース２の係止部２３に係合した状態で先端側部分が拡開し、当接面部３２がプリフォームｐの口部内周面に対し強く当接して係合状態になり、これにより、前記プリフォームＰを内側から抜脱のおそれなく確実に安定性よく保持できることになる。しかも、前記保持部材３は、プリフォームＰの口部Ｐ１に内側から外方に向かって当接することになるため、完全に冷却し硬化していないプリフォームＰであっても容易に変形が生じるおそれがない。またそのため、外側からチャックする場合よりも強い力で保持できることになり、保持状態が更に安定したものになる。
【００４４】
特に、前記保持部材３の複数の各分割爪片３ａ，３ｂまたは３ａ，３ｂ，３ｃまたは３ａ，３ｂ，３ｃ，３ｄは、図５の鎖線のように、筒状ケース２の係止部２３を支点になって分割面同士の対接部、特に３個以上の分割形の場合は分割面の交点になる中心部が前方へ僅かに変位し、後端側部分３５の切欠３６の基端部での接触位置を変化させながら外方へ回動して拡開することになるため、この分割面同士の接合部で擦れが生じず、使用者に擦れによる微粉侵入等の懸念を生じさせるおそれもない。
【００４５】
そして、前記進退手段４５による押動作用部材４３の進出を解除し元の位置に後退させると、分割爪片３ａ，３ｂまたは３ａ，３ｂ，３ｃまたは３ａ，３ｂ，３ｃ，３ｄは、その外面の係合凸部３３を押圧するバネ手段４１の付勢力により閉じた状態になり、前記プリフォームＰから難なく抜き出すことができる。
【産業上の利用可能性】
【００４６】
本発明のプリフォームの保持装置は、プラスチック製ボトルの製造において、一次成形のための成形機から取り出されたプリフォームを、受け取って後工程への搬送装置に移送するための受け取り装置、さらには搬送手段から別の搬送手段への移送のための移送装置等の各種のプリフォームの移送の取り扱いに好適に利用することができる。
【図面の簡単な説明】
【００４７】
【図１】本発明にかかるプリフォームの保持装置の第１の実施例を示す断面図である。
【図２】同上装置の分割形保持部材の先端側からの正面図である。
【図３】同上装置によりプリフォームを保持した状態の断面図である。
【図４】同上の拡開した保持部材の先端側からの正面図である。
【図５】分割形保持部材の拡開状態を説明する一部の拡大略示断面図である。
【図６】本発明の保持装置の第２の実施例を示す断面図である。
【図７】同上装置の分割形保持部材の先端側からの正面図である。
【図８】同上装置によりプリフォームを保持した状態の断面図である。
【図９】同上の拡開した保持部材の先端側からの正面図である。
【図１０】本発明の保持装置の第３の実施例を示す断面図である。
【図１１】同上装置の分割形保持部材の先端側からの正面図である。
【図１２】同上装置によりプリフォームを保持した状態の断面図である。
【図１３】同上の拡開した保持部材の先端側からの正面図である。
【図１４】成形機から取り出されたプリフォームの受け取り装置において従来の吸引式の保持装置を使用した例を示す略示平面図である。
【図１５】同上の受け取り装置の略示正面図である。
【図１６】吸引式の保持装置の断面図である。
【符号の説明】
【００４８】
Ａ  ：保持装置
Ｐ  ：プリフォーム
Ｐ１：口部
１  ：支持基板
１１：ねじ締結手段
１２：貫通孔
２  ：筒状ケース
２３：係止部
３  ：保持部材
３ａ，３ｂ，３ｃ，３ｄ：分割爪片
３０：突出部分
３１：係合凸部
３２：当接面部
３３：係合凸部
３４：凹部
３５：後端側部分
３６：切欠
４  ：拡開動作手段
４１：バネ手段
４２：カラー部材
４３：押動作用部材
４４：テーパ孔
４５：進退手段
４５ａ：出力軸
α  ：切欠の開き角度
β  ：突出部分の開き角度
【図１】
2005161576.tif 000003
【図２】
2005161576.tif 000004
【図３】
2005161576.tif 000005
【図４】
2005161576.tif 000006
【図５】
2005161576.tif 000007
【図６】
2005161576.tif 000008
【図７】
2005161576.tif 000009
【図８】
2005161576.tif 000010
【図９】
2005161576.tif 000011
【図１０】
2005161576.tif 000012
【図１１】
2005161576.tif 000013
【図１２】
2005161576.tif 000014
【図１３】
2005161576.tif 000015
【図１４】
2005161576.tif 000016
【図１５】
2005161576.tif 000017
【図１６】
2005161576.tif 000018